【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
第１のレンズを介して測定光が照射された被検眼からの戻り光と該測定光に対応する参照光とを合波した光に基づいて、該被検眼の断層画像を取得する光断層撮像装置であって、
前記測定光の光路に設けられ、前記被検眼の眼底に対して前記測定光を走査する走査手段と、
前記測定光の光路における前記走査手段と前記第１のレンズとの間に配置された第２のレンズと、
前記第１のレンズと前記第２のレンズとの間における前記測定光の光路に配置され、前記測定光の光路から前記被検眼の前眼を観察する前眼観察光学系の光路に分岐する第１の光路分岐手段と、
前記第１のレンズと前記第２のレンズとの間における前記測定光の光路に配置され、前記測定光の光路から前記眼底を観察する眼底観察光学系の光路に分岐する第２の光路分岐手段と、を有し、
前記前眼観察光学系の光路は、前記第１の光路分岐手段の反射光路に配置され、
前記眼底観察光学系の光路は、前記第１の光路分岐手段の透過光路及び前記第２の光路分岐手段の透過光路に配置され、
前記測定光の光路は、前記第１の光路分岐手段の透過光路及び前記第２の光路分岐手段の反射光路に配置され、
前記走査手段により走査される測定光が前記第１の光路分岐手段及び前記第２の光路分岐手段に入射する角度が略保持されるように、前記第２のレンズと前記走査手段とが配置されることを特徴とする光断層撮像装置。
【請求項２】
前記眼底観察光学系の光路に配置され、観察光源から発生された観察用の光を前記眼底において走査する観察用走査手段と、
前記眼底観察光学系の光路における前記観察用走査手段と前記第２の光路分岐手段との間に配置された第３のレンズと、を更に有し、
前記観察用の光の光路における前記第１のレンズと前記第３のレンズとの間で光が略平行になるように、前記第３のレンズと前記観察用走査手段とが配置されることを特徴とする請求項１に記載の光断層撮像装置。
【請求項３】
前記走査手段及び前記観察用走査手段は、前記前眼と略共役な位置に設けられることを特徴とする請求項２に記載の光断層撮像装置。
【請求項４】
前記第２のレンズと前記第３のレンズとが、同じ形状及び材質であることを特徴とする請求項２または３に記載の光断層撮像装置。
【請求項５】
前記眼底観察光学系の光路に配置され、前記観察用走査手段よりも前記観察光源の側に配置された固視用の光源を更に有し、
前記観察用走査手段は、固視用の走査手段として用いられることを特徴とする請求項２乃至４のいずれか１項に記載の光断層撮像装置。
【請求項６】
前記第１のレンズは、対物レンズであり、
前記対物レンズ及び前記第２のレンズの間において前記走査手段が前記測定光を走査することにより得られた複数の光が前記第１及び第２の光路分岐手段に対して入射する角度が略同じになるように、且つ前記複数の光の前記対物レンズに対する入射角度が略同じになるように、前記第２のレンズ及び前記走査手段が配置されることを特徴とする請求項１乃至５のいずれか１項に記載の光断層撮像装置。
【請求項７】
前記第１のレンズは、対物レンズであり、
前記対物レンズ及び前記第２のレンズの間において前記走査手段が前記測定光を走査することにより得られた複数の光の前記対物レンズに対する入射角度が略同じになるように、前記第２のレンズ及び前記走査手段が配置されることを特徴とする請求項１乃至５のいずれか１項に記載の光断層撮像装置。
【請求項８】
前記第１のレンズは、対物レンズであり、
前記走査手段が前記測定光を走査することにより得られる複数の光が前記対物レンズ及び前記第２のレンズの間で略平行になるように、前記第２のレンズ及び前記走査手段が配置されることを特徴とする請求項１乃至５のいずれか１項に記載の光断層撮像装置。
【請求項９】
光源から発生された光を前記測定光と前記参照光とに分割する分割手段と、
前記測定光の光路における前記分割手段と前記走査手段との間に配置された合焦レンズと、
前記合焦レンズを前記測定光の光路に沿って駆動する駆動手段と、
を更に有することを特徴とする請求項１乃至８のいずれか１項に記載の光断層撮像装置。
【請求項１０】
測定光が照射された被検眼からの戻り光と該測定光に対応する参照光とを合波した光に基づいて、該被検眼の断層画像を取得する光断層撮像装置であって、
前記測定光の光路に配置され、前記測定光の光路から前記被検眼の前眼を観察する前眼観察光学系の光路に分岐する第１の光路分岐手段と、
前記測定光の光路に配置され、前記測定光の光路から前記被検眼の眼底を観察する眼底観察光学系の光路に分岐する第２の光路分岐手段と、を有し、
前記前眼観察光学系の光路は、前記第１の光路分岐手段の反射光路に配置され、
前記眼底観察光学系の光路は、前記第１の光路分岐手段の透過光路及び前記第２の光路分岐手段の透過光路に配置され、
前記測定光の光路は、前記第１の光路分岐手段の透過光路及び前記第２の光路分岐手段の反射光路に配置されることを特徴とする光断層撮像装置。
【請求項１１】
前記測定光の光路に配置され、前記眼底において前記測定光を走査する走査手段と、
前記眼底観察光学系の光路に配置され、観察光源から発生された観察用の光を前記眼底において走査する観察用走査手段と、
前記眼底観察光学系の光路に配置され、前記観察用走査手段よりも前記観察光源の側に配置された固視用の光源と、を更に有し、
前記観察用走査手段は、固視用の走査手段として用いられることを特徴とする請求項１０に記載の光断層撮像装置。
【請求項１２】
前記測定光のビーム径は、前記眼底観察光学系の光路に配置された観察光源から発生された観察用の光のビーム径よりも短いことを特徴とする請求項１乃至１１のいずれか１項に記載の光断層撮像装置。
【請求項１３】
光源から発生された光を前記測定光と前記参照光とに分割する分割手段を更に有し、
前記光源は、約８５５ｎｍの中心波長、約１００ｎｍの波長幅の光を発生させ、
前記眼底観察光学系の光路に配置された観察光源から発生された観察用の光は、約７８０ｎｍの波長の光であることを特徴とする請求項１乃至１２のいずれか１項に記載の光断層撮像装置。
【請求項１４】
第１のレンズを介して測定光が照射された被検眼からの戻り光と該測定光に対応する参照光とを合波した光に基づいて、該被検眼の断層画像を取得する光断層撮像装置であって、
前記測定光の光路に設けられ、前記被検眼の眼底に対して前記測定光を走査する走査手段と、
前記測定光の光路における前記走査手段と前記第１のレンズとの間に配置された第２のレンズと、
前記第１のレンズと前記第２のレンズとの間における前記測定光の光路に配置され、前記測定光の光路から前記被検眼を観察する第１の観察光学系の光路に分岐する第１の光路分岐手段と、
前記第１のレンズと前記第２のレンズとの間における前記測定光の光路に配置され、前記測定光の光路から前記被検眼を観察する第２の観察光学系の光路に分岐する第２の光路分岐手段と、を有し、
前記第１の観察光学系の光路は、前記第１の光路分岐手段の反射光路に配置され、
前記第２の観察光学系の光路は、前記第１の光路分岐手段の透過光路及び前記第２の光路分岐手段の透過光路に配置され、
前記測定光の光路は、前記第１の光路分岐手段の透過光路及び前記第２の光路分岐手段の反射光路に配置され、
前記走査手段により走査される測定光が前記第１の光路分岐手段及び前記第２の光路分岐手段に入射する角度が略保持されるように、前記第２のレンズと前記走査手段とが配置されることを特徴とする光断層撮像装置。
【請求項１５】
前記第２の観察光学系の光路に配置され、観察光源から発生された観察用の光を前記被検眼において走査する観察用走査手段と、
前記第２の観察光学系の光路における前記観察用走査手段と前記第２の光路分岐手段との間に配置された第３のレンズと、を更に有し、
前記第１のレンズ、前記第３のレンズ、及び前記観察用走査手段は、前記観察用の光の光路における前記第１のレンズと前記第３のレンズとの間で光が略平行になるように配置されることを特徴とする請求項１４に記載の光断層撮像装置。
【請求項１６】
前記走査手段及び前記観察用走査手段は、前記前眼と略共役な位置に設けられることを特徴とする請求項１５に記載の光断層撮像装置。
【請求項１７】
前記第２の観察光学系の光路に配置され、前記観察用走査手段よりも前記観察光源の側に配置された固視用の光源を更に有し、
前記観察用走査手段は、固視用の走査手段として用いられることを特徴とする請求項１５または１６に記載の光断層撮像装置。
【請求項１８】
光源から発生された光を前記測定光と前記参照光とに分割する分割手段を更に有し、
前記光源は、約８５５ｎｍの中心波長、約１００ｎｍの波長幅の光を発生させ、
前記第２の観察光学系の光路に配置された観察光源から発生された観察用の光は、約７８０ｎｍの波長の光であることを特徴とする請求項１４乃至１７のいずれか１項に記載の光断層撮像装置。
【請求項１９】
前記第１の光路分岐手段と前記第２の光路分岐手段とのうち一方の光路分岐手段で生じる非点収差が他方の光路分岐手段により補正されるように、前記第１の光路分岐手段と前記第２の光路分岐手段とが配置されることを特徴とする請求項１乃至１８のいずれか１項に記載の光断層撮像装置。
【手続補正２】
【補正対象書類名】明細書
【補正対象項目名】０００９
【補正方法】変更
【補正の内容】
【０００９】
上記の目的を達成する本発明に係る光断層撮像装置の一つは、
第１のレンズを介して測定光が照射された被検眼からの戻り光と該測定光に対応する参照光とを合波した光に基づいて、該被検眼の断層画像を取得する光断層撮像装置であって、
前記測定光の光路に設けられ、前記被検眼の眼底に対して前記測定光を走査する走査手段と、
前記測定光の光路における前記走査手段と前記第１のレンズとの間に配置された第２のレンズと、
前記第１のレンズと前記第２のレンズとの間における前記測定光の光路に配置され、前記測定光の光路から前記被検眼の前眼を観察する前眼観察光学系の光路に分岐する第１の光路分岐手段と、
前記第１のレンズと前記第２のレンズとの間における前記測定光の光路に配置され、前記測定光の光路から前記眼底を観察する眼底観察光学系の光路に分岐する第２の光路分岐手段と、を有し、
前記前眼観察光学系の光路は、前記第１の光路分岐手段の反射光路に配置され、
前記眼底観察光学系の光路は、前記第１の光路分岐手段の透過光路及び前記第２の光路分岐手段の透過光路に配置され、
前記測定光の光路は、前記第１の光路分岐手段の透過光路及び前記第２の光路分岐手段の反射光路に配置され、
前記走査手段により走査される測定光が前記第１の光路分岐手段及び前記第２の光路分岐手段に入射する角度が略保持されるように、前記第２のレンズと前記走査手段とが配置される。